【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
可変速フレームレート撮像画像信号を生成する第１の画像信号生成手段と、
可変速フレームレートのモニタ画像信号を生成する第２の画像信号生成手段と、
前記モニタ画像信号のフレームレートの指示に用いられるインタフェース手段と、
外部から供給された通信情報および前記インタフェース手段の指示に基づいて前記第２の画像信号生成手段の動作の制御を行う制御手段と、
動作モード設定手段とを有し、
前記動作モード設定手段によって優先制御モードに設定されたとき、前記制御手段は、前記優先制御モード期間中、前記通信情報によりも前記インタフェース手段からの指示を優先させる
ことを特徴とする撮像装置
【請求項２】
前記制御部は、前記インタフェース手段より指示されたフレームレートの情報を記憶し、前記優先制御モード期間中は前記モニタ画像信号のフレームレートが前記記憶したフレームレートとなるよう制御する
ことを特徴とする請求項１記載の撮像装置
【請求項３】
前記制御部は、前記優先制御モード期間中は前記モニタ画像信号のフレームレートが予め記憶したフレームレートとなるよう制御する
ことを特徴とする請求項１記載の撮像装置
【請求項４】
撮像装置と該撮像装置が出力した画像信号を記録再生する記録再生装置とで構成される撮像システムにおいて、
前記撮像装置は、
可変速フレームレート画像信号を生成する第１の画像信号生成手段と、
可変速フレームレートのモニタ画像信号を生成する第２の画像信号生成手段と、
前記モニタ画像信号のフレームレートの指示に用いられるインタフェース手段と、
前記記録再生装置から供給された通信情報および前記インタフェース手段の指示に基づいて前記第２の画像信号生成手段の動作の制御を行う制御手段とを有し、
前記制御手段は、前記通信情報よりも前記インタフェース手段からの指示を優先させて前記モニタ画像信号のフレームレートを制御する
ことを特徴とする撮像システム。
【請求項５】
動作モード設定手段を設け、
前記動作モード設定手段によって優先制御モードに設定されたとき、前記制御手段は、前記優先制御モード期間中、前記通信情報によりも前記インタフェース手段からの指示を優先させる
ことを特徴とする請求項４記載の撮像装置。
【請求項６】
前記制御部は、前記インタフェース手段より指示されたフレームレートの情報を記憶し、前記優先制御モード期間中は前記モニタ画像信号のフレームレートが前記記憶したフレームレートとなるよう制御する
ことを特徴とする請求項５記載の撮像装置。
【請求項７】
前記制御部は、前記優先制御モード期間中は前記モニタ画像信号のフレームレートが予め記憶したフレームレートとなるよう制御する
ことを特徴とする請求項５記載の撮像装置。
【請求項８】
撮像装置と該撮像装置が出力した画像信号を記録再生する記録再生装置とで構成される撮像システムに用いられる撮像装置において、
前記撮像装置は、
可変速フレームレート画像信号を生成する第１の画像信号生成手段と、
可変速フレームレートのモニタ画像信号を生成する第２の画像信号生成手段と、
前記モニタ画像信号のフレームレートの指示に用いられるインタフェース手段と、
前記記録再生装置から供給された通信情報および前記インタフェース手段の指示に基づいて前記第２の画像信号生成手段の動作の制御を行う制御手段と、
動作モード設定手段とを有し、
前記動作モード設定手段によって優先制御モードに設定されたとき、前記制御手段は、前記優先制御モード期間中、前記通信情報によりも前記インタフェース手段からの指示を優先させる
ことを特徴とする撮像装置。
【請求項９】
可変速フレームレート画像信号を生成する第１の画像信号生成手段と、
可変速フレームレートのモニタ画像信号を生成する第２の画像信号生成手段と、
前記モニタ画像信号のフレームレートの指示に用いられるインタフェース手段と、
前記可変速フレームレート画像信号の記録再生を行なう記録再生手段と、
前記記録再生手段から供給された通信情報および前記インタフェース手段の指示に基づいて前記第２の画像信号生成手段の動作の制御を行う制御手段とを有し、
前記制御手段は、前記通信情報よりも前記インタフェース手段からの指示を優先させて前記モニタ画像信号のフレームレートを制御する
ことを特徴とする撮像システム。
【請求項１０】
動作モード設定手段を設け、
前記動作モード設定手段によって優先制御モードに設定されたとき、前記制御手段は、前記優先制御モード期間中、前記通信情報によりも前記インタフェース手段からの指示を優先させる
ことを特徴とする請求項９記載の撮像システム。
【請求項１１】
前記制御部は、前記インタフェース手段より指示されたフレームレートの情報を記憶し、前記優先制御モード期間中は前記モニタ画像信号のフレームレートが前記記憶したフレームレートとなるよう制御する
ことを特徴とする請求項１０記載の撮像システム。
【請求項１２】
前記制御部は、前記優先制御モード期間中は前記モニタ画像信号のフレームレートが予め記憶したフレームレートとなるよう制御する
ことを特徴とする請求項１０記載の撮像システム。
【請求項１３】
可変速フレームレート画像信号を生成する第１の画像信号生成手段と、
可変速フレームレートのモニタ画像信号を生成する第２の画像信号生成手段と、
前記モニタ画像信号のフレームレートの指示に用いられるインタフェース手段と、
前記可変速フレームレート画像信号の記録再生を行なう記録再生手段と、
前記記録再生手段から供給された通信情報および前記インタフェース手段の指示に基づいて前記第２の画像信号生成手段の動作の制御を行う制御手段と、
動作モード設定手段とを有し、
前記動作モード設定手段によって優先制御モードに設定されたとき、前記制御手段は、前記優先制御モード期間中、前記通信情報によりも前記インタフェース手段からの指示を優先させる
ことを特徴とする撮像システム。
【請求項１４】
可変速フレームレート画像信号を生成する第１の画像信号生成手段と、
可変速フレームレートのモニタ画像信号を生成する第２の画像信号生成手段と、
前記モニタ画像信号のフレームレートの指示に用いられるインタフェース手段と、
外部から供給された通信情報および前記インタフェース手段の指示に基づいて前記第２の画像信号生成手段の動作の制御を行う制御手段とを有し、
前記制御装置は、前記通信情報よりも前記インタフェース手段からの指示を優先させて前記モニタ画像信号のフレームレートを制御する
ことを特徴とする画像生成装置。
【請求項１５】
動作モード設定手段を設け、
前記動作モード設定手段によって優先制御モードに設定されたとき、前記制御手段は、前記優先制御モード期間中、前記通信情報によりも前記インタフェース手段からの指示を優先させる
ことを特徴とする請求項１４記載の画像生成装置。
【請求項１６】
前記制御部は、前記インタフェース手段より指示されたフレームレートの情報を記憶し、前記優先制御モード期間中は前記モニタ画像信号のフレームレートが前記記憶したフレームレートとなるよう制御する
ことを特徴とする請求項１５記載の画像生成装置。
【手続補正２】
【補正対象書類名】明細書
【補正対象項目名】発明の名称
【補正方法】変更
【補正の内容】
【発明の名称】撮像装置と撮像システムおよび画像生成装置
【手続補正３】
【補正対象書類名】明細書
【補正対象項目名】０００１
【補正方法】変更
【補正の内容】
【０００１】
この発明は撮像装置と撮像システムおよび画像生成装置に関する。詳しくは、外部から通信情報が供給されたとき、この通信情報に基づいて画像信号生成手段やフレームレート変換手段の動作を制御して、可変速フレームレート撮像画像の画像信号やモニタ画像信号のフレームレートを可変するとともに、動作モード設定手段によって優先制御モードに設定されたとき、この優先制御モード期間中、通信情報によりもインタフェース手段からの指示を優先させてモニタ画像信号のフレームレートを制御するものである。
【手続補正４】
【補正対象書類名】明細書
【補正対象項目名】０００７
【補正方法】変更
【補正の内容】
【０００７】
そこで、この発明は、撮像装置の動作を制御する通信情報が外部から供給されても、この通信情報に係らず、撮像者が所望するフレームレートでモニタ画像を表示可能とする撮像装置と撮像システムおよび画像生成装置を提供するものである。
【手続補正５】
【補正対象書類名】明細書
【補正対象項目名】０００８
【補正方法】変更
【補正の内容】
【０００８】
この発明に係る撮像装置は、可変速フレームレート撮像画像信号を生成する第１の画像信号生成手段と、可変速フレームレートのモニタ画像信号を生成する第２の画像信号生成手段と、モニタ画像信号のフレームレートの指示に用いられるインタフェース手段と、外部から供給された通信情報およびインタフェース手段の指示に基づいて第２の画像信号生成手段の動作の制御を行う制御手段と、動作モード設定手段とを有し、動作モード設定手段によって優先制御モードに設定されたとき、制御手段は、優先制御モード期間中、通信情報によりもインタフェース手段からの指示を優先させるものである。
また、この発明に係る撮像装置は、撮像装置と該撮像装置が出力した画像信号を記録再生する記録再生装置とで構成される撮像システムに用いられる撮像装置であって、撮像装置は、可変速フレームレート画像信号を生成する第１の画像信号生成手段と、可変速フレームレートのモニタ画像信号を生成する第２の画像信号生成手段と、モニタ画像信号のフレームレートの指示に用いられるインタフェース手段と、記録再生装置から供給された通信情報およびインタフェース手段の指示に基づいて第２の画像信号生成手段の動作の制御を行う制御手段と、動作モード設定手段とを有し、動作モード設定手段によって優先制御モードに設定されたとき、制御手段は、優先制御モード期間中、通信情報によりもインタフェース手段からの指示を優先させるものである。
【手続補正６】
【補正対象書類名】明細書
【補正対象項目名】０００９
【補正方法】変更
【補正の内容】
【０００９】
また、この発明に係る撮像システムは、撮像装置と該撮像装置が出力した画像信号を記録再生する記録再生装置とで構成される撮像システムであって、撮像装置は、可変速フレームレート画像信号を生成する第１の画像信号生成手段と、可変速フレームレートのモニタ画像信号を生成する第２の画像信号生成手段と、モニタ画像信号のフレームレートの指示に用いられるインタフェース手段と、記録再生装置から供給された通信情報およびインタフェース手段の指示に基づいて第２の画像信号生成手段の動作の制御を行う制御手段とを有し、制御手段は、通信情報よりもインタフェース手段からの指示を優先させてモニタ画像信号のフレームレートを制御するものである。
また、この発明に係る撮像システムは、可変速フレームレート画像信号を生成する第１の画像信号生成手段と、可変速フレームレートのモニタ画像信号を生成する第２の画像信号生成手段と、モニタ画像信号のフレームレートの指示に用いられるインタフェース手段と、可変速フレームレート画像信号の記録再生を行なう記録再生手段と、記録再生手段から供給された通信情報およびインタフェース手段の指示に基づいて第２の画像信号生成手段の動作の制御を行う制御手段とを有し、制御手段は、通信情報よりもインタフェース手段からの指示を優先させてモニタ画像信号のフレームレートを制御するものである。
さらに、この発明に係る撮像システムは、可変速フレームレート画像信号を生成する第１の画像信号生成手段と、可変速フレームレートのモニタ画像信号を生成する第２の画像信号生成手段と、モニタ画像信号のフレームレートの指示に用いられるインタフェース手段と、可変速フレームレート画像信号の記録再生を行なう記録再生手段と、記録再生手段から供給された通信情報およびインタフェース手段の指示に基づいて第２の画像信号生成手段の動作の制御を行う制御手段と、動作モード設定手段とを有し、動作モード設定手段によって優先制御モードに設定されたとき、制御手段は、優先制御モード期間中、通信情報によりもインタフェース手段からの指示を優先させるものである。
また、この発明に係る画像生成装置は、可変速フレームレート画像信号を生成する第１の画像信号生成手段と、可変速フレームレートのモニタ画像信号を生成する第２の画像信号生成手段と、モニタ画像信号のフレームレートの指示に用いられるインタフェース手段と、外部から供給された通信情報およびインタフェース手段の指示に基づいて第２の画像信号生成手段の動作の制御を行う制御手段とを有し、制御装置は、通信情報よりもインタフェース手段からの指示を優先させてモニタ画像信号のフレームレートを制御するものである。